(57)【要約】【課題】低コストで汎用性に富み、取り付け作業の工数、部品点数を削減することができるアンテナユニットを提供することができるようにする。【解決手段】アンテナユニット４１は、ハンドル３０の長手方向に回路基板５１とＬＦアンテナ５３が並べられて構成されている。また、回路基板５１とＬＦアンテナ５３の図中下側に、アンロック電極５４が設けられ、回路基板５１の中央付近の結線により回路基板５１と接続される。また、回路基板５１上の図中左端部付近の回路パターンとしてロック電極５２が構成される。回路基板５１などは樹脂４３により覆われ、樹脂４３の図中中央付近には、Ｖ字型の切り込み４３ａが設けられている。樹脂４３は、切り込み４３ａの位置を中心として右側と左側を図中下側に向けて折り曲げることができる。【選択図】図４
2010213082.tif 000002
【特許請求の範囲】
【請求項１】
パッシブエントリーシステムを採用した車両のドアのドアハンドルに組み込まれるアンテナユニットであって、
前記ドアをアンロックする場合、ユーザが前記ドアハンドルに触れることで変化する静電容量を検出するためのアンロック電極と、
前記ドアをロックする場合、ユーザが前記ドアハンドルに触れることで変化する静電容量を検出するためのロック電極と、
前記パッシブエントリーシステムにおいてユーザの携帯機と通信するための電磁波の送受信を行うアンテナと、
少なくとも前記ロック電極、および前記アンテナを一体として覆う樹脂とを備え、
前記ロック電極は、前記アンロック電極または前記ロック電極による前記静電容量の変化の検出に対応する検出信号を出力する検出回路を有する回路基板上の回路パターンとして構成される
アンテナユニット。
【請求項２】
前記回路基板と前記アンテナは、前記ドアハンドルの長手方向に対応する方向に一列に並べて配置され、
前記アンロック電極は、前記回路基板と前記アンテナの並べられた方向と平行に配置された金属板として構成される
請求項１に記載のアンテナユニット。
【請求項３】
前記樹脂は、
前記ドアハンドルの長手方向に対応する方向における前記回路基板と前記アンテナとの間の位置において、折り曲げ部を有し、
前記折り曲げ部の位置を中心として折り曲げられる
請求項２に記載のアンテナユニット。
【請求項４】
前記アンロック電極は、
前記樹脂が折り曲げられた状態でその形状を保持できる程度の塑性を有する金属板により構成される
請求項３に記載のアンテナユニット。
【発明の詳細な説明】
【技術分野】
【０００１】
本発明は、アンテナユニットに関し、特に、低コストで汎用性に富み、取り付け作業の工数、部品点数を削減することができるアンテナユニットに関する。
【背景技術】
【０００２】
近年、例えば、車両のエントリーシステムとして、鍵を使わずにドアの施錠や開錠を自動的に行ういわゆるパッシブエントリーシステムが実用化されており、今後さらなる普及が見込まれている。
【０００３】
パッシブエントリーシステムを構築するに際し、車両のドアに取り付けられたドアハンドル装置内にアンテナと静電容量センサを配置したものが多く用いられている。例えば、静電容量センサは、ドアハンドル内部に収容された金属板などを検出電極とし、ドアハンドルと車両のドアとの間に形成される間隙への手の挿入による静電容量の変化を検知してアンテナを交信状態に遷移させる。
【０００４】
例えば、ドアを開放するためにドアハンドルと車両のドアとの間に形成される間隙へ手をいれてドアハンドルに触れると、ドアアンロックのための検出電極の静電容量の変化がドアハンドル内部に設けられた静電容量検出回路により検出され、制御部に入力される。検出信号を受領した制御部は、交信回路を駆動してアンテナから交信電波を放出してユーザが所持する携帯機などとの間で交信し、例えば、携帯機のＩＤ等の一致が確認されると、ロック装置の施錠を解除するようになされている。
【０００５】
また、例えば、ドアを施錠するためにドアハンドルの表面の所定の位置にユーザが触れると、ドアロックのための検出電極の静電容量の変化がドアハンドル内部に設けられた静電容量検出回路により検出され、制御部に入力される。検出信号を受領した制御部は、交信回路を駆動してアンテナから交信電波を放出してユーザが所持する携帯機などとの間で交信し、例えば、携帯機のＩＤ等の一致が確認されると、ロック装置を施錠させるようになされている。
【０００６】
なお、上述した静電容量検出回路、および交信回路は、通常、回路基板として構成されてドアハンドル内部に設けられる。
【０００７】
このような、ＬＦアンテナと静電容量センサの検出電極が、ＬＦアンテナを全長に渡って覆う合成樹脂製連結部を介して一体として形成されたアンテナユニットも提案されている（例えば、特許文献１参照）。
【０００８】
このように一体化されたアンテナユニットを用いることで、例えば、取り付け作業の工数を削減したり、部品点数を削減したりすることが可能となる。
【０００９】
【特許文献１】特開２００３―２２４４１０号公報
【発明の概要】
【発明が解決しようとする課題】
【００１０】
しかしながら、パッシブエントリーシステムには、ドアアンロックのための検出電極とドアロックのための検出電極を設ける必要がある。従来のパッシブエントリーシステムでは、通常、ドアアンロックのための検出電極とドアロックのための検出電極とが別々の部品として構成されて取り付けられていた。
【００１１】
ドアアンロックのための検出電極およびドアロックのための検出電極を、回路基板およびＬＦアンテナと一体化させたアンテナユニットを得ることができれば、取り付け作業の工数、部品点数などのさらなる削減が可能となる。
【００１２】
また、車両のドアに取り付けられるドアハンドルは、通常、曲線状に構成されることが多く、多彩な形状が創作されている。一方、アンテナユニットのＬＦアンテナは、フェライトコアなどを用いて構成されるため、形状の自由度が低い。さらに、ドアアンロックのための検出電極は、車両のドア側に向いたドアハンドルの曲面に触れるユーザの手による静電容量の変化を確実に検出する必要があるため、上述したドアハンドルの曲面に沿った形状を与える必要がある。
【００１３】
従って、例えば、車両のデザインに伴って、ドアハンドルのデザインが変更される場合など、あらためてアンテナユニットを設計する必要が生じる。このように、従来のアンテナユニットは、汎用性に乏しいという問題があった。
【００１４】
本発明はこのような状況に鑑みてなされたものであり、低コストで汎用性に富み、取り付け作業の工数、部品点数を削減することができるアンテナユニットを提供することができるようにするものである。
【課題を解決するための手段】
【００１５】
本発明のアンテナユニットは、パッシブエントリーシステムを採用した車両のドアのドアハンドルに組み込まれるアンテナユニットであって、ドアをアンロックする場合、ユーザがドアハンドルに触れることで変化する静電容量を検出するためのアンロック電極と、ドアをロックする場合、ユーザがドアハンドルに触れることで変化する静電容量を検出するためのロック電極と、パッシブエントリーシステムにおいてユーザの携帯機と通信するための電磁波の送受信を行うアンテナと、少なくともロック電極、およびアンテナを一体として覆う樹脂とを備え、ロック電極は、アンロック電極またはロック電極による前記静電容量の変化の検出に対応する検出信号を出力する検出回路を有する回路基板上の回路パターンとして構成される。
【００１６】
本発明のアンテナユニットにおいては、ドアをアンロックする場合、ユーザがハンドルに触れることで変化する静電容量を検出するためのアンロック電極と、ドアをロックする場合、ユーザがハンドルに触れることで変化する静電容量を検出するためのロック電極と、パッシブエントリーシステムにおいてユーザの携帯機と通信するための電磁波の送受信を行うアンテナと、少なくともロック電極、およびアンテナを一体として覆う樹脂とが設けられ、ロック電極は、アンロック電極またはロック電極による静電容量の変化の検出に対応する検出信号を出力する検出回路を有する回路基板上の回路パターンとして構成される。
【００１７】
従って、アンロック電極、ロック電極、回路基板およびＬＦアンテナが一体化され、それらの機能に対応する部材が別々に用意されたアンテナユニットの場合と比較して、取り付け作業の工数、部品点数などを削減することが可能となる。
【００１８】
前記回路基板とアンテナは、ドアハンドルの長手方向に対応する方向に一列に並べて配置され、アンロック電極は、回路基板とアンテナの並べられた方向と平行に配置された金属板として構成されるようにすることができる。
【００１９】
前記樹脂は、ドアハンドルの長手方向に対応する方向における回路基板とアンテナとの間の位置において、折り曲げ部を有し、折り曲げ部の位置を中心として折り曲げられるようにすることができる。
【００２０】
従って、汎用性に富み、かつ低コストのアンテナユニットを提供することができる。
【００２１】
前記アンロック電極は、樹脂が折り曲げられた状態でその形状を保持できる程度の塑性を有する金属板により構成されるようにすることができる。
【発明の効果】
【００２２】
本発明によれば、低コストで汎用性に富み、取り付け作業の工数、部品点数を削減することができるアンテナユニットを提供することができる。
【図面の簡単な説明】
【００２３】
【図１】パッシブエントリーシステムに用いられる車両のドアに取り付けられるドアハンドルの例を示す図である。
【図２】従来のドアハンドルの内部構成を示す図である。
【図３】本発明の一実施の形態に係るアンテナユニットを搭載したドアハンドルの構成例を示す断面図である。
【図４】アンテナユニット４１の構成例を説明する図である。
【図５】ドアハンドルの内部に組み込まれるアンテナユニットの例を示す図である。
【図６】アンロック電極とドアハンドルのドアに向かう面との距離について説明する図である。
【図７】アンロック電極とドアハンドルのドアに向かう面との距離について説明する図である。
【発明を実施するための形態】
【００２４】
以下、図面を参照して、本発明の実施の形態について説明する。
【００２５】
まず、パッシブエントリーシステムに用いられるアンテナユニットについて説明する。パッシブエントリーシステムは、例えば、鍵を使わずにドアの施錠や開錠を自動的に行う車両のエントリーシステムである。
【００２６】
パッシブエントリーシステムを構築するに際し、車両のドアに取り付けられたドアハンドル装置内にアンテナと静電容量センサを配置したものが多く用いられている。例えば、静電容量センサは、ドアハンドル内部に収容された金属板などを検出電極とし、ドアハンドルと車両のドアとの間に形成される間隙への手の挿入による静電容量の変化を検知してアンテナを交信状態に遷移させる。
【００２７】
例えば、ドアを開放するためにドアハンドルと車両のドアとの間に形成される間隙へ手をいれてドアハンドルに触れると、ドアアンロックのための検出電極の静電容量の変化がドアハンドル内部に設けられた静電容量検出回路により検出され、制御部に入力される。すなわち、ドアアンロックのための検出電極にユーザの手が近接することにより発生する静電容量の変化が検出されたとき、検出信号が出力されるのである。
【００２８】
検出信号を受領した制御部は、ＬＦアンテナの駆動を制御する交信回路を駆動させてＬＦアンテナから交信電波を放出してユーザが所持する携帯機などとの間で交信し、例えば、携帯機のＩＤ等の一致が確認されると、ロック装置の施錠を解除するようになされている。
【００２９】
また、例えば、ドアを施錠するためにドアハンドルの表面の所定の位置にユーザが触れると、ドアロックのための検出電極の静電容量の変化がドアハンドル内部に設けられた静電容量検出回路により検出され、制御部に入力される。検出信号を受領した制御部は、交信回路を駆動してＬＦアンテナから交信電波を放出してユーザが所持する携帯機などとの間で交信し、例えば、携帯機のＩＤ等の一致が確認されると、ロック装置を施錠させるようになされている。
【００３０】
なお、上述した静電容量検出回路、および交信回路は、通常、回路基板として構成されてドアハンドル内部に設けられる。
【００３１】
図１は、従来のパッシブエントリーシステムに用いられる車両のドアに取り付けられるドアハンドル１０の内部構造の外観の例を示す図である。
【００３２】
図１ａは、ドアハンドル１０を表から見た場合の内部構造を示した図であり、図１ｂは、ドアハンドル１０を裏から見た場合の内部構造を示した図である。ドアハンドル１０は表から視認可能となるように、車両のドアに取り付けられる。すなわち、車両に近づくユーザは、通常、図１ａに示される状態でドアハンドル１０を視認することになる。ドアに取り付けられたドアハンドル１０の裏側は、車両のドアに向いており、ユーザは、通常、図１ｂに示されるドアハンドル１０の形状を視認することはない。なお、実際のドアハンドル１０は、同図に示した内部構造を覆う樹脂のカバーなどが設けられて構成されるので、同図に示される内部構造が外部から直接視認できるわけではない。
【００３３】
図１ｂに示されるドアハンドル１０の裏側には、ドアアンロックのための検出電極（以下、アンロック電極と称する）２１が取り付けられている。なお、同図の例では、説明の都合上、アンロック電極２１が外部に露出するように示されているが、実際には、アンロック電極２１は、樹脂のカバーなどにより覆われており、外部に露出しない。
【００３４】
図２は、従来のドアハンドル１０の内部構造を別の角度から見た図である。この例では、ドアハンドル１０内の内部コア部材２４にアンロック電極２１が取り付けられている。なお、同図においては、アンロック電極２１は、視認できない側面に位置する。また、同図には示されていないが、内部コア部材２４には、静電容量検出回路、および交信回路を有する回路基板が取り付けられている。
【００３５】
また、図２に示されるように、電極保持部材２５にドアロックのための検出電極（以下、ロック電極と称する）２２が取り付けられている。
【００３６】
そして、図２に示されるように、例えば、フェライトコアなどを用いて構成されたＬＦアンテナ２３が設けられており、ＬＦアンテナ２３に接続されるハーネス（導電線）などが内部コア部材２４の内部の回路基板などに接続される。
【００３７】
図１および図２に示されるドアハンドル１０においては、アンロック電極２１と図示せぬ回路基板が内部コア部材２４に取り付けられて一体化されて構成とされている。すなわち、この例においては、内部コア部材２４、ＬＦアンテナ２３、および電極保持部材２５の３点の部品の集合としてアンテナユニットが構成されることになる。
【００３８】
本発明においては、ユーザの手が近接することにより発生する静電容量の変化を検出するアンロック電極、ロック電極、およびユーザが所持する携帯機などと交信するＬＦアンテナ、並びに回路基板を一体化させたアンテナユニットを実現する。
【００３９】
図３は、本発明の一実施の形態に係るアンテナユニット４１を搭載したドアハンドル３０の構成例を示す断面図である。本発明のドアハンドル３０の外観は、図１ａおよび図１ｂに示される従来のドアハンドル１０の場合とほぼ同様である。ドアハンドル３０は、ドアに取り付けるための取り付け部３１と取り付け部３２を有する構成とされる。ドアハンドル３０がドアに取り付けられた状態において、ドアを開放する場合、ユーザはドアハンドル３０とドアとの間に形成される間隙へ手をいれてドアハンドル３０の面３３に触れることになる。
【００４０】
なお、ドアハンドル３０は、図中中央がやや凹んだ形状とされ、面３３も、図中中央が凹んだ曲面として構成されている。すなわち、車両のドアを開閉させる場合、ユーザは、ドアハンドル３０を握ってドアを動かすことになるから、ドアハンドル３０はユーザにとって握り易い形状とされているのである。
【００４１】
また、ドアを施錠する場合、ユーザはドアハンドル３０の表側の面３４の一部であって、図中左端部付近に触れることになる。
【００４２】
図３に示されるようにアンテナユニット４１は、ドアハンドル３０の内部に設けられ、外部からは視認できないようになされている。
【００４３】
アンテナユニット４１は、図中水平方向であって、ドアハンドル３０の長手方向に回路基板５１とＬＦアンテナ５３が並べられて構成されている。また、回路基板５１とＬＦアンテナ５３の図中上側に、アンロック電極５４が設けられている。
【００４４】
なお、図４と図５を参照して詳細は後述するが、アンテナユニット４１は、ドアハンドル３０の形状に合わせて折り曲げることが可能となるように構成されている。図３は、アンテナユニット４１が折り曲げられていない状態を図示したものである。
【００４５】
アンテナユニット４１の回路基板５１の図中左側端部には、ロック電極５２が設けられている。このロック電極５２は、回路基板５１上の回路パターンとして形成されており、実質的には回路基板５１の一部として構成される。すなわち、本発明においては、ロック電極５２を、専用の部材として設ける必要がない。
【００４６】
図４は、アンテナユニット４１の構成例を説明する図である。同図においては、アンテナユニット４１の断面図が模式的に表されている。なお、同図において、図中上側がドアハンドル３０の表に対応し、図中下側がドアハンドル３０の裏に対応する。従って、アンテナユニット４１が組み込まれたドアハンドル３０が車両のドアに取り付けられた状態において、ドアは、図中下側に位置することになる。
【００４７】
図４に示されるように、アンテナユニット４１は、図中水平方向であって、ドアハンドル３０の長手方向に回路基板５１とＬＦアンテナ５３が並べられて構成されている。また、回路基板５１とＬＦアンテナ５３の図中下側に、アンロック電極５４が設けられている。アンロック電極５４は、回路基板５１の中央付近の結線により回路基板５１と接続される。また、回路基板５１の図中上側には、所定の回路パターンが構成されており、これにより、静電容量検出回路、交信回路などが回路基板５１上に設けられることになる。また、回路基板５１上の図中左端部付近の回路パターンとしてロック電極５２が構成されることになる。
【００４８】
そして、回路基板５１、ＬＦアンテナ５３、およびアンロック電極５４が樹脂４３により覆われ、回路基板５１、およびＬＦアンテナ５３に接続されるハーネス４２が図中右側端部において外部に露出するように構成されている。
【００４９】
このように、本発明のアンテナユニット４１においては、アンロック電極、ロック電極、回路基板およびＬＦアンテナが一体化されている。従って、例えば、それらの機能に対応する部材が別々に用意されたアンテナユニットの場合と比較して、取り付け作業の工数、部品点数などを削減することが可能となる。
【００５０】
また、樹脂４３には、例えば、ホットメルトなどの封止剤が用いられる。樹脂４３として他の素材を用いることも可能であるが、樹脂４３の内部にＬＦアンテナ５３が設けられているので、例えば、ＬＦアンテナ５３のコイルなどを損傷することがないよう、低温で成型できる封止剤などを用いることが望ましい。
【００５１】
樹脂４３が凝固して成型された状態において、アンテナユニット４１は、例えば、断面が長方形となる立方体の形状を有することになる。また、樹脂４３の図中中央付近には、前記ハンドルの長手方向に対応する方向と垂直の方向のＶ字型の切り込みや薄肉部として構成される折り曲げ部４３ａが設けられている。樹脂４３は、矢印６１と矢印６２で示されるように、折り曲げ部４３ａの位置を中心として右側と左側を図中下側に向けて折り曲げることができるようになされている。
【００５２】
折り曲げ部４３ａの図中左側には、回路基板５１が配置されており、折り曲げ部４３ａの図中右側には、ＬＦアンテナ５３が配置されている。従って、樹脂４３を矢印６１と矢印６２で示されるように折り曲げた場合であっても、回路基板５１とＬＦアンテナ５３は折り曲げられることはない。
【００５３】
アンロック電極５４は、例えば、銅などの金属を素材として薄板状に構成されている。樹脂４３を矢印６１と矢印６２で示されるように折り曲げた場合、アンロック電極５４は、樹脂４３とともに折り曲げられることになる。なお、アンロック電極５４は、折り曲げられた状態でその形状を保持できる程度の剛性、塑性を有する金属板として構成されることが望ましい。樹脂４３は、弾性を有するものであり、折り曲げられた後、その力を取り除けば元の形に戻ろうとする性質があるからである。アンロック電極５４の塑性により樹脂４３の弾性が打ち消され、アンテナユニット４１全体として折り曲げられた状態でその形状を保持できるようにすることができる。
【００５４】
このような、アンロック電極５４は、例えば、厚さ０.３ｍｍ程度の薄板状に構成された銅板を用いることにより実現することができる。
【００５５】
このような構成とすることで、アンテナユニット４１を、ドアハンドル３０の形状に合わせて折り曲げることができる。
【００５６】
図５は、ドアハンドル３０の内部に組み込まれるアンテナユニット４１の例を示す図である。同図においては、便宜上、ドアハンドル３０の内部が透視できるように表示されている。
【００５７】
図５に示されるように、ドアハンドル３０は、車両のドアと向かい合う面３３が曲線状の面となるように構成されている。このような形状として構成されたドアハンドル３０は、ユーザにとって握り易いものとなり、また、車両のデザインとしての統一感を向上させるものとなる。
【００５８】
アンテナユニット４１は、ドアハンドル３０の内部において、折り曲げ部４３ａの位置を中心として右側と左側が図中下側に向けて折り曲げられた状態で組み込まれている。このようにすることで、アンロック電極５４と面３３との距離をドアハンドル３０の右側から左側に至るまでほぼ均等にすることができるのである。なお、図中の矢印により４通りの位置におけるアンロック電極５４と面３３との距離が示されている。
【００５９】
上述したように、パッシブエントリーシステムにおいては、ドアを開放するためにドアハンドルと車両のドアとの間に形成される間隙へ手をいれてドアハンドルに触れると、アンロック電極５４の静電容量の変化がドアハンドル内部に設けられた静電容量検出回路により検出されることでロック装置が解錠されるようになされている。すなわち、アンロック電極５４にユーザの手が近接することにより発生する静電容量の変化であって、例えば、閾値以上の変化が検出されたとき、検出信号が出力されることで、ドアがアンロックされるのである。従って、アンロック電極５４にユーザの手がどの程度近接するかによって、検出信号が出力されるか否かが定まることになる。
【００６０】
アンロック電極５４にユーザの手が近接することにより発生する静電容量の変化は、微弱なものであるから、検出信号の出力も、ユーザの手とアンロック電極５４との距離の微小な変化によって制御される。
【００６１】
図６と図７を参照して、アンロック電極５４と面３３の距離について説明する。図６と図７は、ドアハンドル３０が車両に取り付けられた状態を模式的に示す図である。これらの図においては、内部においてアンロック電極５４のみが示されたドアハンドル３０の断面図が示されており、図中下側が車両のドアとされ、図中の円によりユーザの指の位置が示されている。
【００６２】
例えば、図６に示されるように、直線状のアンロック電極５４がドアハンドル３０の内部に存在する場合、ドアハンドル３０の図中左側と右側では、面３３とアンロック電極５４との距離が大きく異なってしまう。
【００６３】
例えば、図６のドアハンドル３０の面３３の円８２で示される位置をユーザの指が触れた場合、ユーザの指は、アンロック電極５４に充分に近接するので、検出信号が出力される。一方、例えば、ドアハンドル３０の面３３の円８１で示される位置をユーザの指が触れた場合、ユーザの指は、アンロック電極５４に充分に近接していないので、検出信号が出力されない。このような場合、ユーザは、ドアハンドル３０を握ったとき、ドアがアンロックされることもあるが、ドアがアンロックされないこともあると認識してしまう。
【００６４】
例えば、ドアをアンロックする場合、ドアハンドル３０の面３３の図中右側の所定の範囲内を触れるようにユーザに要求することも可能である。しかし、面３３は、車両のドアに向って立つユーザからは見えない位置にあるので、面３３の特定の位置を指定してユーザに触れされることは難しいのである。
【００６５】
このように、車両のドアと向かい合う面３３が曲線状の面となるように構成されたドアハンドル３０に組み込まれるアンテナユニット４１において、アンロック電極５４を直線状に構成すると、操作性が劣化する。
【００６６】
なお、ドアをロックする場合、ユーザはドアハンドル３０の表側の面３４の一部に触れることになるから、ロック電極５２については、このような制約がない。
【００６７】
これに対して、例えば、図７に示されるように、曲線状のアンロック電極５４がドアハンドル３０の内部に存在する場合、ドアハンドル３０の図中左側と右側で、面３３とアンロック電極５４との距離が大きく異なることはない。
【００６８】
例えば、図７のドアハンドル３０の面３３の円８１で示される位置をユーザの指が触れた場合、ユーザの指は、アンロック電極５４に充分に近接するので、検出信号が出力される。また、ドアハンドル３０の面３３の円８２で示される位置をユーザの指が触れた場合も、ユーザの指は、アンロック電極５４に充分に近接するので、やはり検出信号が出力される。このような場合、ユーザは、ドアハンドル３０を握ったとき、常にドアがアンロックされると認識する。
【００６９】
なお、図７においては、アンロック電極５４が面３３と同様の弧状に示されているが、実際のアンロック電極５４は、上述したように、折り曲げ部３４ａの位置で折り曲げられた曲線状の形状となる。
【００７０】
このように、車両のドアと向かい合う面３３が曲線状の面となるように構成されたドアハンドル３０に組み込まれるアンテナユニット４１において、アンロック電極５４を曲線状に構成すると、操作性が向上するのである。本発明では、上述したように、アンテナユニット４１が、折り曲げ部４３ａの位置を中心として右側と左側が図中下側に向けて折り曲げられた状態で組み込まれるようにして、アンロック電極５４を曲線状に構成するようにしたのである。
【００７１】
このようにすることで、例えば、図７に示される場合と、ほぼ同様の効果を得ることができる。すなわち、本発明のアンテナユニット４１を用いれば、ユーザの手が車両のドアと向かい合う面３３のどの部分に触れても、ドアがアンロックされるようにすることができるのである。
【００７２】
また、本発明においては、ドアハンドル３０の形状が異なるものであった場合でも、同一のアンテナユニット４１を用いることが可能となる。例えば、ドアハンドル３０の曲線の構成がより円に近い形状である場合、アンテナユニット４１をより深く折り曲げればよい。一方、ドアハンドル３０の曲線の構成がより直線に近い形状である場合、アンテナユニット４１をより浅く折り曲げればよい。
【００７３】
このように、本発明のアンテナユニット４１を用いれば、例えば、車両のデザインに伴って、ドアハンドルのデザインが変更される場合などでも、あらためてアンテナユニットを設計する必要がない。従って、本発明のアンテナユニット４１は、汎用性に富んだものとなる。
【００７４】
さらに、本発明においては、上述のように、アンテナユニット４１を折り曲げる支点が、折り曲げ部４３ａの位置とされている。図４を参照して上述したように、折り曲げ部４３ａは、回路基板５１とＬＦアンテナ５３との間に位置しているので、回路基板５１とＬＦアンテナ５３は折り曲げる必要がない。このため、例えば、フェライトコアを用いた一般的なＬＦアンテナ５３を用いることができ、また、回路基板５１を、フレキシブル基板などを用いて構成する必要もない。従って、本発明においては、低コストで、かつ汎用性に富んだアンテナユニット４１を実現することができる。
【００７５】
なお、勿論、回路基板５１をフレキシブル基板で構成するようにしてもよい。
【００７６】
なお、以上においては、本発明のアンテナユニット４１は、樹脂４３に折り曲げ部４３ａを設けて、折り曲げ部４３ａの位置を中心として右側と左側が図中下側に向けて折り曲げられるものとして説明した。しかし、樹脂４３を折り曲げずに、アンロック電極５４のみが折り曲げられるようにしてアンテナユニットを構成することも可能である。
【００７７】
例えば、図４において、樹脂４３に折り曲げ部４３ａを設けず、アンロック電極５４の図中左端部のみを、樹脂４３により、回路基板５１と接着する。そして、アンロック電極５４のみを面３３の形状に合わせて折り曲げるのである。このように、樹脂４３を折り曲げずに、ドアハンドル３０の面３３の曲線に対応させてアンロック電極５４のみが折り曲げられるようにしてもよい。
【００７８】
なお、本発明の実施の形態は、上述した実施の形態に限定されるものではなく、本発明の要旨を逸脱しない範囲において種々の変更が可能である。
【符号の説明】
【００７９】
３０  ドアハンドル，  ３３  面  ４１  アンテナユニット，  ４２  ハーネス，  ４３  樹脂，  ４３ａ  折り曲げ部，  ５１  回路基板，  ５２  ロック電極，  ５３  ＬＦアンテナ，  ５４  アンロック電極
【図１】
2010213082.tif 000003
【図２】
2010213082.tif 000004
【図３】
2010213082.tif 000005
【図４】
2010213082.tif 000006
【図５】
2010213082.tif 000007
【図６】
2010213082.tif 000008
【図７】
2010213082.tif 000009